(57)【要約】【課題】本発明は、着信報知音の突然の大音量がユーザに与える害悪を軽減する携帯電話機とその制御方法を提供する。【解決手段】本発明の携帯電話機は、着信報知音量が一定の音量に設定されていても（大、中、小）、携帯電話機が所定の状態にあれば、ユーザが選択した着信報知音にかかわらず、あらかじめ設定されている保安報知方法に応じて、着信報知音を漸増する音量で発音するか、その発音開始を遅延させ、当該遅延期間において振動モータを作動させる。これにより、ユーザは、着信報知音が有害な大音量に達するまでの猶予時間を得ることができる。【選択図】図５
2010063158.tif 000002
【特許請求の範囲】
【請求項１】
着信時に着信報知音を発する携帯電話機であって、
端末を耳に当てて使用することが想定される機能が提供されているか否かを検出する検出手段と、
当該機能の提供中であると検出された場合に、着信時の当該着信報知音の発音態様を経時的に変化させる制御手段とを備えることを特徴とする携帯電話機。
【請求項２】
前記制御手段は、
前記機能の提供中でないと検出された場合に、あらかじめ設定されている態様により当該着信報知音を発することを特徴とする請求項１記載の携帯電話機。
【請求項３】
前記機能は、ユーザへの音声提示又はユーザからの音声取得、若しくはその両方を伴う機能であることを特徴とする請求項１又は２に記載の携帯電話機。
【請求項４】
前記機能には、またメッセージ録音再生機能又は音声コマンド認識機能、若しくはその両方が含まれることを特徴とする請求項３に記載の携帯電話機。
【請求項５】
前記制御手段は、前記着信報知音の音量を徐々に増大させることを特徴とする請求項１に記載の携帯電話機。
【請求項６】
前記携帯電話機は、さらに、
報知用の振動手段を備え、前記制御手段は、前記着信報知音を遅延して発生させると共に、
その発生に先立って、当該振動手段を振動させることを特徴とする請求項１に記載の携帯電話機。
【請求項７】
前記制御手段による、前記発音態様の経時的な変化の制御として、
記着信報知音の発音態様を徐々に増大させる制御または前記着信報知音を遅延して発生させると共にその発生に先立って振動を発生させる制御が選択可能である請求項１に記載の携帯電話機。
【請求項８】
着信時に着信報知音を発する携帯電話機の制御方法であって、
端末を耳に当てて使用することが想定される機能が提供されているか否かを検出する検出ステップと、
当該機能を提供中であると検出された場合に、着信時の当該着信報知音の発音態様を経時的に変化させる制御ステップとを含むことを特徴とする制御方法。
【請求項９】
前記制御ステップは、
前記機能の提供中でないと検出された場合に、あらかじめ設定されている態様により当該着信報知音を発することを特徴とする請求項８記載の制御方法。
【発明の詳細な説明】
【技術分野】
【０００１】
本発明は、携帯電話機に関し、特に、着信報知音の突然の大音量がユーザに与える害悪を軽減する技術に関する。
【背景技術】
【０００２】
従来、携帯電話機において、着信報知音量を時間的に徐々に増大させるＲａｍｐｅｄ  Ｒｉｎｇｅｒと呼ばれる手法が知られている（例えば、特許文献１を参照）。携帯電話機は、ユーザからの指示に応じてこの手法を実行する。つまり、ユーザがＲａｍｐｅｄ  Ｒｉｎｇｅｒモードを設定しておけば、携帯電話機は、着信時に、徐々に増大する音量で着信報知音を発音するので、例えば、ユーザがメッセージ録音再生機能（いわゆる留守録機能）を使用して録音メッセージを確認中に、突然耳元で大音量の着信報知音が鳴って不快を感じ、又は耳への障害を蒙る事態を未然に防ぐことができる。
【０００３】
一方、ユーザがＲａｍｐｅｄ  Ｒｉｎｇｅｒモードを解除しておけば、携帯電話機は、所定の一定音量で着信報知音を発音するので、例えば、携帯電話機がユーザから離れて置かれ、又はかばんに入れられていても、ユーザは鳴り出しと同時に着信報知音に気付くことができ、便利である。
【先行技術文献】
【特許文献】
【０００４】
【特許文献１】特開平０５−８３３３２
【発明の概要】
【発明が解決しようとする課題】
【０００５】
しかしながら、上記従来技術の携帯電話機では、ユーザがＲａｍｐｅｄ  Ｒｉｎｇｅｒモードを設定し忘れて留守録メッセージを確認中に着信があった場合には、大音量の着信報知音が突然発音することが避けられないという問題がある。
【０００６】
当該モードの設定し忘れは、特に、携帯電話機をかばんから取り出した直後等に、頻繁に起こり得るものである。
【０００７】
上記の問題に鑑み、本発明は、ユーザが当該モードを設定していない場合においても、着信報知音の突然の大音量がユーザに与える不快感、及び耳への障害といった害悪を軽減する携帯電話機の提供を目的とする。
【課題を解決するための手段】
【０００８】
（１）上記問題を解決するため、本発明の携帯電話機は、着信時に着信報知音を発する携帯電話機であって、ユーザが着信報知音を選択する着信報知音選択手段と、端末の特定の機能が提供されているか否かを検出する検出手段と、当該機能を提供中であると検出された場合に、選択された着信報知音にかかわらず着信時の当該着信報知音の発音態様を経時的に変化させる制御手段とを備える。
【発明の効果】
【０００９】
（１）本発明の携帯電話機によれば、携帯電話機が特定の処理を提供中でありさえすれば、ユーザの選択した着信報知音にかかわらず、着信報知音の発音態様を経時的に変化させるので、着信報知音が大音量に達するまでの猶予時間を設けることができる。
【００１０】
また、前記機能は、ユーザへの音声提示、又はユーザからの音声取得、若しくはその両方を伴う機能であるとしてもよいし、前記機能には、メッセージ録音再生機能、及び音声コマンド認識機能が含まれるとしてもよい。
【００１１】
ユーザへの音声提示、又はユーザからの音声取得、若しくはその両方を伴う機能は、特に、ユーザが当該携帯電話機を耳に当てて使用することが想定されるものであり、具体的に、メッセージ録音再生機能、及び音声コマンド取得機能が含まれる。また、前記制御手段は、前記着信報知音の音量を徐々に増大させてもよい。
【００１２】
また、前記携帯電話機は、前記着信報知音の最大音量をユーザから指示されており、前記制御手段は、前記着信報知音の音量を当該最大音量に達するまで徐々に増大させてもよい。また、前記携帯電話機は、さらに、報知用の振動手段を備え、前記制御手段は、前記着信報知音を遅延して発生させると共に、その発生に先立って、当該振動手段を振動させてもよい。
【００１３】
（２）本発明の制御方法は、着信時に着信報知音を発する携帯電話機の制御方法であって、特定の機能を提供中であると検出された場合に、ユーザの選択した着信報知音にかかわらず、着信報知音の発音態様を経時的に変化させる制御ステップを含むので、着信報知音が大音量に達するまでの猶予時間を設けることができる。
【図面の簡単な説明】
【００１４】
【図１】実施の形態に係る携帯電話機の構造を模式的に示す断面図である。
【図２】当該携帯電話機の機能構成を示すブロック図である。
【図３】（Ａ）着信報知音量選択画面の一例である。（Ｂ）報知保安方法選択画面の一例である。
【図４】着信報知制御処理を示すフローチャートである。
【図５】変更された着信報知制御処理を示すフローチャートである。
【発明を実施するための形態】
【００１５】
本発明の実施の形態に係る携帯電話機について図面を参照しながら説明する。
【００１６】
＜全体構造＞
図１は、実施の形態に係る携帯電話機の構造を模式的に示す断面図である。
【００１７】
同図に示すように、本実施の形態に係る携帯電話機１０は折畳型であって、第１筐体１１と第２筐体１２とが折畳可能に接続されてなる。
【００１８】
携帯電話機１０は、本発明に関する主要な構成部品として、第１筐体１１内に、レシーバ１３、リンガ１４、及び表示部１５を備え、第２筐体１２内に、状態検出スイッチ１６、振動モータ１７、操作部１８、及びマイク１９を備える。
【００１９】
レシーバ１３は、通話音声の出力や、録音メッセージの再生に使用される。リンガ１４は、着信報知音を含む報知用の音声を発生する。表示部１５は、カラー液晶パネル、ＤＭＤ（デジタル・ミラー・デバイス）、有機ＥＬパネル、又はＰＤＰ（プラズマ・ディスプレイ・パネル）などで実現され、現在時刻、バッテリ残量、電波強度等を示す状態情報、発信者電話番号、メール内容、各種設定内容等を表示する。
【００２０】
状態検出スイッチ１６は、携帯電話機１０が折畳状態にあるか展開状態にあるかを検出する。振動モータ１７は、報知用の振動を発生させる。操作部１８は、テンキー、カーソルキー等を含み、電話番号や文字、及び各種設定の入力に使用される。マイク１９は、通話音声や音声コマンドの入力に使用される。
【００２１】
ユーザは携帯電話機１０を、通話操作、メッセージ録音再生操作、音声コマンド入力操作、及び電子メール操作の際に展開状態にする一方、着信待ち受けの際に折畳状態にする。特に、通話操作、メッセージ録音再生操作、音声コマンド入力操作では、ユーザは展開状態の携帯電話機を耳に当てて使用することが想定される。
【００２２】
＜機能構成＞
図２は、携帯電話機１０の機能構成を示すブロック図である。
【００２３】
携帯電話機１０は、レシーバ１３、リンガ１４、表示部１５、状態検出スイッチ１６、振動モータ１７、操作部１８、マイク１９、アンテナ２０、送受信部２１、変復調部２２、音声処理部２３、制御部３０から構成される。
【００２４】
図１に示した各構成部品に対応する機能ブロックについては、図１と同一の符号を付して説明を省略する。
【００２５】
通話に関して各機能ブロックは次のように作用する。
【００２６】
アンテナ２０に受信された受信電波は送受信部２１で増幅され、変復調部２２で音声信号に復調される。当該音声信号は音声処理部２３で所定の処理を施された後、レシーバ１３で電気−音響変換され音声として出力される。
【００２７】
一方、マイク１９で音響−電気変換されたユーザの音声は、音声処理部２３で所定の処理を施された後、変復調部２２で変調信号に変換される。当該変調信号は送受信部２１を経てアンテナ２０から送信される。
【００２８】
また、携帯電話機１０は、内部に留守録機能を有している。
【００２９】
留守録機能に関して各機能ブロックは次のように作用する。
【００３０】
ユーザが着信に応答しない場合、設定に応じて携帯電話機１０が当該着信に応答する。この場合、変復調部２２が復調した音声信号を、制御部３０がＲＡＭ３３に記録する。ＲＡＭ３３に記録された音声信号は、後刻ユーザ操作に応じて、音声処理部２３に読み出され、レシーバ１３で電気−音響変換され音声として出力される。
【００３１】
この留守録機能は内部で賄われるので、携帯電話機１０は、録音メッセージの再生中に着信を受け付けることができる。
【００３２】
制御部３０は、ＣＰＵ（Central Processing Unit）３１、ＲＯＭ（Read Only Memory）３２、ＲＡＭ（Random Access Memory）３３等からなり、ＲＯＭ３２に格納されているプログラムをＣＰＵ３１が実行することにより、携帯電話機１０の全体動作を制御する。ＲＡＭ３３は、当該プログラムの実行において作業用データを保持する。また、バッテリバックアップされることによって、各種設定情報、及び留守録メッセージを、ユーザから変更、消去操作を受けるまで永続的に保持する。
【００３３】
＜着信報知音量選択＞
携帯電話機１０は、ユーザが選択した音量で着信報知音を発生する機能を有している。
【００３４】
図３（Ａ）は、ユーザが当該音量を選択する際に表示部１５に表示される画面例である。この画面でユーザが行った選択の内容は、ＲＡＭ３３に記録される。
【００３５】
「１大」「２中」「３小」は、それぞれに対応する、時間的に一定の音量を選択する。
【００３６】
「４ランプアップ」は、小音量から大音量まで所定の時間内に徐々に増大する音量を選択する。
【００３７】
＜報知保安方法選択＞
携帯電話機１０は、前記「４ランプアップ」以外の音量が選択されている場合であっても、リンガ１４が突然の大音量を発しないための報知保安機能を有している。この報知保安機能は、次の２種類のうちユーザが選択した報知保安方法に従って、着信報知音の発音態様を経時的に変化させる。
【００３８】
図３（Ｂ）は、ユーザが当該報知保安方法を選択する際に表示部１５に表示される画面例である。この画面でユーザが行った選択の内容は、ＲＡＭ３３に記録される。
【００３９】
「１ランプアップ」は、小音量から前記選択された着信報知音量まで所定の時間内に徐々に増大する音量で着信報知音を発音することを選択する。
【００４０】
「２バイブ＋遅延」は、着信報知音の発音を所定時間遅延して開始させると共に、当該遅延した期間において振動モータを作動させることを選択する。
＜着信報知制御処理＞
前述した着信報知音量、及び報知保安方法の選択内容に応じて、制御部３０が行う着信報知制御処理について説明する。この処理は、着信報知音の発音が禁止されていない限り（つまり、振動モータ又は発光のみによる報知が指定されていない限り）、着信時に実行される。
【００４１】
図４は、当該着信報知制御処理を示すフローチャートである。
【００４２】
制御部３０は、ＲＡＭ３３を参照して着信報知音量の選択内容を識別する。選択内容が「４ランプアップ」であれば（ステップＳ１０：ランプアップ）、小音量から大音量まで所定の時間内に徐々に増大する音量で、リンガ１４から着信報知音を発音させる（ステップＳ１１）。
【００４３】
選択内容が「１大」「２中」「３小」の何れかであれば（ステップＳ１０：大、中、小）、状態検出スイッチ１６の検出結果を参照する。そして、携帯電話機が展開状態になければ（ステップＳ２０：ＮＯ）、当該選択内容に応じた音量で、リンガ１４から着信報知音を発音させる（ステップＳ２１）。
【００４４】
携帯電話機が展開状態にあれば（ステップＳ：ＹＥＳ）、ＲＡＭ３３を参照して報知保安方法の選択内容を識別する。選択内容が「１ランプアップ」であれば（ステップＳ３０：ランプアップ）、小音量から前記選択された着信報知音量まで所定の時間内に徐々に増大する音量で、リンガ１４から着信報知音を発音させる（ステップＳ３１）。
【００４５】
選択内容が「２バイブ＋遅延」であれば（ステップＳ３０：バイブ＋遅延）、振動モータを起動し（ステップＳ４１）、所定時間待ち（ステップＳ４２）、そして前記選択された着信報知音量でリンガ１４から着信報知音を発音させる（ステップＳ４３）。
【００４６】
＜まとめ＞
以上説明したように、携帯電話機１０は、着信報知音量に大、中、又は小の一定音量が選択されている場合であっても、展開状態にあれば、着信報知音の経時的な発音態様を、選択された報知保安方法に従って変化させる。
【００４７】
報知保安方法として「ランプアップ」が選択されている場合は、小音量で鳴り始めるので、携帯電話機を展開状態で耳に当てて使用しているユーザは、着信報知音が大音量に達するまでに、その携帯電話機を耳から遠ざけることができる。
【００４８】
また、「バイブ＋遅延」が選択されている場合は、振動によって着信報知音が間もなく鳴り始めることが分かるので、携帯電話機を展開状態で耳に当てて使用しているユーザは、着信報知音が鳴り始めるまでに、その携帯電話機を耳から遠ざけることができる。
【００４９】
＜その他の変形例＞
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法を、コンピュータシステムを用いて実現するためのコンピュータプログラムであるとしてもよいし、前記プログラムを表すデジタル信号であるとしてもよい。
【００５０】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、半導体メモリ等であるとしてもよい。
【００５１】
また、本発明は、電気通信回線、無線又は有線通信回線、若しくはインターネットに代表されるネットワーク等を経由して伝送される前記コンピュータプログラム又は前記デジタル信号であるとしてもよい。
【００５２】
また、前記プログラム又は前記デジタル信号は、前記記録媒体に記録されて移送され、若しくは、前記ネットワーク等を経由して移送され、独立した他のコンピュータシステムにおいて実施されるとしてもよい。
【００５３】
（２）実施の形態では、折畳型携帯電話機を例示し、当該携帯電話機が展開状態にあると検出された場合に、報知保安機能が働くことを説明した。
【００５４】
別法として、ユーザが当該携帯電話機を耳に当てて使用することが想定される機能を携帯電話機が提供中に、報知保安機能が働くとしてもよい。
【００５５】
ユーザへの音声提示、又はユーザからの音声取得、若しくはその両方を伴う機能がそのような機能に該当し、具体例として、留守録機能（メッセージ録音再生機能）、及び音声コマンド認識機能等が考えられる。
【００５６】
制御部３０は、該当機能に関する動作を開始する際に、当該機能を識別する情報をＲＡＭ３３に記録する。着信時にこの情報を参照することにより、該当機能を提供中であるか否かを検出し、該当機能を提供中であれば報知保安機能を働かせる。この場合の着信報知制御処理は、図４に示した処理と比較して、ステップＳ２０が変更される。
【００５７】
図５は、当該変更された着信報知制御処理を示すフローチャートである。ステップＳ２０に代えて設けられるステップＳ５０において、制御部３０は、ＲＡＭ３３に記録されている前記情報を参照して、その時点でメッセージ録音再生機能、又は音声コマンド認識機能を提供中であるか否かを検出する。それらを提供中であると検出されれば、ステップＳ３０以降を実行することにより、実施の形態で説明した報知保安機能を働かせる。
【００５８】
この構成は、報知保安機能の作動要否を検出するために携帯電話機が折畳型であることを必要としないので、実施の形態の例示と比較して、より広汎に適用できる。
【００５９】
（３）本発明は、携帯電話機の通話方式について限定しない。例えば、ＣＤＭＡ（Code Division Multiple Access）、ＰＨＳ（Personal Handyphone System）、又はＰＤＣ（Personal Digital Cellular telecommunication system）の何れの方式を用いる携帯電話機
に適用してもよい。
【符号の説明】
【００６０】
１０    携帯電話機
１１    第１筐体
１２    第２筐体
１３    レシーバ
１４    リンガ
１５    表示部
１６    状態検出スイッチ
１７    振動モータ
１８    操作部
１９    マイク
２０    アンテナ
２１    送受信部
２２    変復調部
２３    音声処理部
３０    制御部
３１    ＣＰＵ
３２    ＲＯＭ
３３    ＲＡＭ
【図１】
2010063158.tif 000003
【図２】
2010063158.tif 000004
【図３】
2010063158.tif 000005
【図４】
2010063158.tif 000006
【図５】
2010063158.tif 000007